(57)【特許請求の範囲】
【請求項１】
転送先の電話番号を記憶する第１の記憶手段と、
画像データを記憶する第２の記憶手段と、
電話回線の着呼時においてファクシミリ転送モードが設定されているときに、ファクシミリ手順信号であるＣＮＧ信号を検出した後、電話転送サービスを用いるためのフッキング信号を上記電話回線を送出し、上記第１の記憶手段に記憶された転送先の電話番号をダイヤルして送出し、次いで、所定時間内にファクシミリ手順信号であるＤＩＳ信号を検出しないとき、フッキング信号を上記電話回線を送出した後、ファクシミリの画像データを受信して上記第２の記憶手段に記憶し、上記電話回線を回線開放し、さらに、上記第１の記憶手段に記憶された転送先の電話番号をダイヤルして発呼し、上記第２の記憶手段に記憶された画像データを読み出して上記転送先に転送する制御手段とを備えたことを特徴とする通信端末装置。
【請求項２】
上記制御手段は、上記電話回線の着呼時においてファクシミリ転送モードが設定されているときに、ファクシミリ手順信号であるＣＮＧ信号を検出した後、電話転送サービスを用いるためのフッキング信号を上記電話回線を送出し、上記第１の記憶手段に記憶された転送先の電話番号をダイヤルして送出し、次いで、所定時間内にファクシミリ手順信号であるＤＩＳ信号を検出したとき、上記着信した呼を上記転送先に転送することを特徴とする請求項１記載の通信端末装置。
【発明の詳細な説明】
【技術分野】
【０００１】
本発明は、音声信号を送受信する音声通信手段と、画像データを送受信する画像通信手段とを備え、転送モード処理機能を備えた通信端末装置に関する。
【背景技術】
【０００２】
例えば、従来技術のファクシミリ装置において、ファクシミリの画像データを受信して画像メモリに一旦格納した後、予め登録された転送先に転送する装置が実用化されている。
【０００３】
【特許文献１】特開平３−１６７９４８号公報。
【特許文献２】特開平１１−０３２１０２号公報。
【発明の開示】
【発明が解決しようとする課題】
【０００４】
しかしながら、従来技術のファクシミリ装置においては、不在時の着信で電話通信などの音声通信やファクシミリ通信などの画像通信を外出先に転送したい場合があるが、音声通信や画像通信を選択して転送することができないという問題点があった。
【０００５】
本発明の目的は以上の問題点を解決し、音声信号を送受信する音声通信手段と、画像データを送受信する画像通信手段とを備えた通信端末装置において、音声通信や画像通信を選択して転送することができるファクシミリ装置などの通信端末装置を提供することにある。
【課題を解決するための手段】
【０００６】
本発明に係る通信端末装置は、
転送先の電話番号を記憶する第１の記憶手段と、
画像データを記憶する第２の記憶手段と、
電話回線の着呼時においてファクシミリ転送モードが設定されているときに、ファクシミリ手順信号であるＣＮＧ信号を検出した後、電話転送サービスを用いるためのフッキング信号を上記電話回線を送出し、上記第１の記憶手段に記憶された転送先の電話番号をダイヤルして送出し、次いで、所定時間内にファクシミリ手順信号であるＤＩＳ信号を検出しないとき、フッキング信号を上記電話回線を送出した後、ファクシミリの画像データを受信して上記第２の記憶手段に記憶し、上記電話回線を回線開放し、さらに、上記第１の記憶手段に記憶された転送先の電話番号をダイヤルして発呼し、上記第２の記憶手段に記憶された画像データを読み出して上記転送先に転送する制御手段とを備えたことを特徴とする。
【０００７】
また、上記通信端末装置において、上記制御手段は、上記電話回線の着呼時においてファクシミリ転送モードが設定されているときに、ファクシミリ手順信号であるＣＮＧ信号を検出した後、電話転送サービスを用いるためのフッキング信号を上記電話回線を送出し、上記第１の記憶手段に記憶された転送先の電話番号をダイヤルして送出し、次いで、所定時間内にファクシミリ手順信号であるＤＩＳ信号を検出したとき、上記着信した呼を上記転送先に転送することを特徴とする。
【発明の効果】
【０００８】
従って、本発明に係る通信端末装置によれば、ユーザの要求に応じてこれらの種々の転送モード処理を選択して設定できる。これにより、例えば、外出先にファクシミリ装置が無い場合は電話通信の転送を選択し、通話できない場合でファクシミリ装置があるときはファクシミリ通信の転送を選択することができる。また、本発明に係る通信端末装置によれば、特に電話通信と画像通信の転送の区別をしないで設定することなく、自動的に転送できるので、ユーザの操作性を大幅に向上することができる。さらに、本発明に係る通信端末装置によれば、相手先の通信端末装置から確実に画像データを受信した後、転送先に画像データを送信することができる。この場合に、転送先との画像通信でエラーが生じた場合でも当該通信端末装置の記憶装置に記憶されているので、その画像データを格納しておき、後に画像データの画像を印字することもできる。
【発明を実施するための最良の形態】
【０００９】
以下、図面を参照して本発明に係る実施形態について説明する。
【００１０】
＜実施形態＞
図１は、本発明に係る実施形態である、転送モード処理機能を有するファクシミリ装置２０の構成を示すブロック図であり、図２は、本実施形態に係る転送モード処理機能を行うシステム構成を示すブロック図である。図１及び図２において、ファクシミリ装置２０は、転送モード処理機能を有する装置であって、図２に示すように、発信元ファクシミリ装置３１から着信があったときに、画像データを一旦画像メモリ８に記憶して回線開放した後、記憶した画像データを公衆電話網３０を介して転送先ファクシミリ装置３２に転送し、もしくは、発信元の電話機４１から着信があったときに、詳細後述する電話転送サービスを用いて、公衆電話網３０を介して転送先電話機４２に転送することを特徴としている。
【００１１】
この実施形態のファクシミリ装置２０は、転送モード処理機能を有するファクシミリ装置であって、画像データを格納する画像メモリ８を備え、主制御部１は、ハンドセット１２を用いて音声信号を送受信する音声通信機能である電話機機能と、画像データを送受信する画像通信機能であるファクシミリ通信機能とを備え、
（ａ）上記電話機機能による音声通信を、ＲＡＭ７内の転送先テーブル７ａに予め登録された所定の電話の転送先に転送する電話転送モード処理（図５のステップＳ１４−Ｓ１６）と、
（ｂ）上記ファクシミリ通信機能によるファクシミリの画像通信を、上記転送先テーブル７ａに予め登録された所定のファクシミリの転送先に転送するファクシミリ転送モード処理（図６のステップＳ２６−Ｓ２９）と、
（ｃ）相手先からの所定のファクシミリの手順信号であるＣＮＧ信号に基づいて、上記電話転送モード処理と上記ファクシミリ転送モード処理とを自動的にかつ選択的に切り換えて実行する（ステップＳ７）第３の転送モード処理とを、
例えば操作部５を用いて予め選択的に設定することを特徴としている。
なお、本実施形態においては、ファクシミリ転送モード処理においては、図２に示すように、発信元ファクシミリ装置３１から着信があったときに、画像データを一旦画像メモリ８に記憶して回線開放した後、記憶した画像データを公衆電話網３０を介して転送先ファクシミリ装置３２に転送することを特徴としている。
【００１２】
本実施形態に係る電話通信の転送においては、相手先と回線接続中において、別の転送先に転送するための方法として、例えばＮＴＴなどの電気通信事業者によって提供されている「ボイスワープサービス」や「ボイスワープセレクトサービス」などの電話転送サービスを用いて、フッキング信号を送出した後転送先の選択信号を送出することにより転送する。
【００１３】
図１において、ファクシミリ装置２０は、従来のＧ３方式等のファクシミリ通信機能を備えるとともに、転送モード処理機能を備えている。主制御部１は具体的にはＣＰＵで構成されており、バス１３を介して以下のハードウェア各部と接続されていてそれらを制御するほか、後述する種々のソフトウェアの機能を実行する。画像読取部２は、ＣＣＤ等を利用したスキャナで原稿を読み取り、白黒２値に変換したドットイメージデータを出力する。画像記録部３は電子写真方式等のプリンタ装置であり、他のファクシミリ装置からファクシミリ通信により受信したイメージデータをハードコピーとしてプリントアウトして記録する。表示部４は、液晶表示装置（ＬＣＤ）又はＣＲＴディスプレイ等の表示装置であり、当該ファクシミリ装置２０の動作状態を表示したり、送信すべき原稿のイメージデータ、及び受信したイメージデータの表示を行う。
【００１４】
操作部５は、当該ファクシミリ装置２０を操作するために必要な文字キー、ダイヤル用テンキー、短縮ダイヤルキー、ワンタッチダイヤルキー、及び各種のファンクションキー等を備える。なお、上述の表示部４をタッチパネル方式とすることにより、この操作部５の各種キーの内の一部又は全部を代用するように構成してもよい。
【００１５】
ＲＯＭ６は、当該ファクシミリ装置２０の動作に必要であって主制御部１によって実行される種々のソフトウェアのプログラムを予め格納し、ここで、当該プログラムは、少なくとも図４乃至図６の着信及び転送処理を含む。ＲＡＭ７は、ＳＲＡＭ又はフラッシュメモリ等で構成され、主制御部１のワーキングエリアとして使用されてプログラムの実行時に発生する一時的なデータを記憶する。なお、ＲＡＭ７としてフラッシュメモリを使用した場合には、停電、装置の移動等のために電源が遮断された場合にもそのデータの内容が失われない。画像メモリ８はＤＲＡＭ等で構成され、送信すべきイメージデータ又は受信したイメージデータを記憶する。なお、ＲＡＭ７及び画像メモリ８をハードディスクメモリで構成してもよい。
【００１６】
ファックスモデム１０は、公衆電話回線Ｌに接続され、通常のファクシミリ通信用のファックスモデムの機能を有するモデムであり、ＦＳＫ信号として受信される発信電話番号情報のデータを復調して主制御部１に出力する。ＮＣＵ（ネットワーク制御回路：Network Control Unit）１１はアナログの公衆電話回線Ｌの直流ループなどの閉結及び開放の動作、並びにフッキング信号（公衆電話回線Ｌにおける直流ループを所定の短い時間だけ一時的に開放してすぐに閉結する信号をいう。）の送出を行いかつ自動ダイヤル機能を有するハードウェア回路であり、必要に応じてファックスモデム１０を公衆電話回線Ｌに接続する。ここで、ＮＣＵ１１は、発信電話番号通知サービス（例えば、ＮＴＴにおける”ナンバーディスプレイサービス”である。）におけるＩＤ受信端末起動信号、通常の電話呼出信号の検出を行うとともに、必要に応じて発信電話番号通知サービスにおける１次応答信号及び２次応答信号を発信することができる。さらに、ＮＣＵ１１には、ハンドセット１２が接続され、ハンドセット１２を用いて当該ファクシミリ装置２０の電話機機能により音声信号を送受信する音声通信を行うことができる。なお、ＮＣＵ１１を所定のターミナルアダプタ及びＤＳＵ（加入者線終端装置：Digital Service Unit）を介して、ベースバンド伝送方式のデジタル回線（例えば、ＩＳＤＮ回線）に接続するようにしてもよい。
【００１７】
以上のように構成された本実施形態のファクシミリ装置２０は、通常のＧ３方式等のファクシミリ通信機能に加えて、転送モード処理機能を有している。ファクシミリ通信機能において、画像読取部２により読み取られたドットイメージデータはファクシミリ通信の規格で定められているＭＨ，ＭＲ，ＭＭＲ等の符号化方式に従ってソフトウェアにより符号化された後、相手先のファクシミリ装置に送信される一方、逆に相手先のファクシミリ装置から受信した符号化データもソフトウェアによりイメージデータに復号化されて画像記録部３からハードコピーとして出力される。なお、画像メモリ８はイメージデータを必要に応じて記憶し、また逆に記憶しているイメージデータを必要に応じて出力する。
【００１８】
図３は、図１の転送先テーブル７ａの一例を示す図である。図３に示すように、電話とファクシミリとの別で、転送先の電話番号が予め操作部５を用いて入力されて登録されている。
【００１９】
この実施形態のファクシミリ装置２０では、操作部５を用いて、
（ａ）電話通信やファクシミリ通信を転送する場合の転送モードと、もしくは通常のファクシミリ着信処理を実行する非転送モードとのいずれかを選択して設定し、
（ｂ）上記電話転送モード処理（図４のＴＭ＝電話転送）と、上記ファクシミリ転送モード処理（ＴＭ＝ファクシミリ転送）と、
（ｃ）上記第３の転送モード（ＴＭ＝電話及びファクシミリの自動切り換え転送）とのいずれかの転送モードの種別ＴＭを選択して設定する。
【００２０】
図４は、図１のファクシミリ装置の主制御部１によって実行される着信及び転送処理を示すフローチャートである。図４において、まず、ステップＳ１において着呼したか否かが判断され、着呼するまでステップＳ１の処理を繰り返し、着呼したとき、ステップＳ２において転送モードが操作部５を用いて入力されて設定されているか否かが判断される。転送モードが設定されていないとき（ステップＳ２でＮＯ）、ステップＳ３に進み、通常のファクシミリ着信処理を実行することにより、相手方のファクシミリ装置からの画像データを画像メモリ８に記憶した後、その画像を画像記録部３を用いて所定の用紙に記録して印字し、当該着信及び転送処理を終了する。
【００２１】
転送モードが設定されているとき（ステップＳ２でＹＥＳ）、ステップＳ４において転送モードの種別ＴＭが判断され、転送モードの種別ＴＭが電話転送であるとき、ステップＳ５で図５の電話転送モード処理を実行した後、当該着信及び転送処理を終了する。また、ステップＳ４で転送モードの種別ＴＭがファクシミリ転送であるとき、ステップＳ６で図６のファクシミリ転送モード処理を実行した後、当該着信及び転送処理を終了する。さらに、ステップＳ４で転送モードの種別ＴＭが電話及びファクシミリの自動切り換え転送であるとき、ステップＳ７でＣＮＧ信号を検出したかで否かが判断され、ＹＥＳのときは図６のステップＳ２６に進む一方、ＮＯであるときは図５のステップＳ１４に進む。
【００２２】
図５は、図４のサブルーチンである電話転送モード処理（ステップＳ５）を示すフローチャートである。図５において、まず、ステップＳ１１においてＣＮＧ信号を検出したか否かが判断され、ＹＥＳのときはステップＳ１２に進む一方、ＮＯのときはステップＳ１４に進む。ステップＳ１２では、相手方のファクシミリ装置から画像データを受信してその画像を画像記録部３を用いて印字した後、ステップＳ１３で回線開放して元のメインルーチンに戻る。一方、ステップＳ１４では、公衆電話回線Ｌにフッキング信号を送出し、ステップＳ１５において転送先テーブル７ａ内の電話の転送先の電話番号を公衆電話回線Ｌにダイヤルして送出し、ステップＳ１６において相手先が応答したか否かが判断される。応答したときは（ステップＳ１６でＹＥＳ）、ステップＳ１３で回線開放することにより、公衆電話網の交換機の機能により電話の通話が転送先に転送される。そして、元のメインルーチンに戻る。
【００２３】
図６は、図４のサブルーチンであるファクシミリ転送モード処理（ステップＳ６）を示すフローチャートである。図６において、まず、ステップＳ２１においてＣＮＧ信号を検出したか否かが判断され、ＹＥＳのときはステップＳ２６に進む一方、ＮＯのときはステップＳ２２に進む。ステップＳ２２では、電話の呼出し音を鳴動させ、ステップＳ２３においてオフフックしたか否かが判断される。オフフックしたときは（ステップＳ２３でＮＯ）ハンドセット１２を用いた電話機機能を用いて電話の通話を行う。ステップＳ２５においてオンフックしたか否かが判断され、オンフックされるまでステップＳ２４の電話の通話が続けられる。オンフックされたときは（ステップＳ２５でＹＥＳ）、ステップＳ３０で回線開放して元のメインルーチンに戻る。
【００２４】
一方、ステップＳ２６では、画像データを受信して画像メモリ８に格納し、ステップＳ２７において回線開放した後、ステップＳ２８において転送先テーブル７ａ内のファクシミリの転送先にダイヤルして発呼する。次いで、ステップＳ２９において、画像メモリ８から受信された画像データを読み出して転送先のファクシミリ装置に対して送出した後、ステップＳ３０において回線開放し、元のメインルーチンに戻る。
【００２５】
以上説明したように、本実施形態によれば、
（ａ）上記電話機機能による音声通信を、ＲＡＭ７内の転送先テーブル７ａに予め登録された所定の電話の転送先に転送する電話転送モード処理（図５のステップＳ１４−Ｓ１６）と、
（ｂ）上記ファクシミリ通信機能によるファクシミリの画像通信を、上記転送先テーブル７ａに予め登録された所定のファクシミリの転送先に転送するファクシミリ転送モード処理（図６のステップＳ２６−Ｓ２９）と、
（ｃ）相手先からの所定のファクシミリの手順信号であるＣＮＧ信号に基づいて、上記電話転送モード処理と上記ファクシミリ転送モード処理とを自動的にかつ選択的に切り換えて実行する（ステップＳ７）第３の転送モード処理とを、
例えば操作部５を用いて予め選択的に設定することができる。従って、ユーザの要求に応じてこれらの種々の転送モード処理を選択して設定できる。これにより、例えば、外出先にファクシミリ装置が無い場合は電話通信の転送を選択し、通話できない場合でファクシミリ装置があるときはファクシミリ通信の転送を選択することができる。
【００２６】
また、上記第３の転送モード処理を備えているので、特に電話とファクシミリの転送の区別をしないで設定することなく、自動的に転送できるので、ユーザの操作性を大幅に向上することができる。
【００２７】
さらに、図６のステップＳ２６−Ｓ２９のファクシミリ転送モード処理では、相手先のファクシミリ装置から確実に画像データを受信した後、転送先に画像データを送信することができる。この場合に、転送先とのファクシミリ通信でエラーが生じた場合でも当該ファクシミリ装置２０の画像メモリ８に記憶されているので、その画像データを格納しておき、後に画像データの画像を印字することもできる。
【００２８】
＜変形例＞
図７は、変形例のファクシミリ転送モード処理（ステップＳ６）を示すフローチャートである。上述の実施形態に係るファクシミリ転送モード処理においては、図２及び図６に示すように、発信元ファクシミリ装置３１から着信があったときに、画像データを一旦画像メモリ８に記憶して回線開放した後、記憶した画像データを公衆電話網３０を介して転送先ファクシミリ装置３２に転送しているが、この変形例では、ファクシミリ転送モード処理においても、電話転送モード処理と同様に、上述の電話転送サービスを用いてファクシミリ通信を転送することを特徴としている。以下、変形例の特徴となる処理について詳述する。
【００２９】
図７において、ステップＳ２１においてＣＮＧ信号を検出したかであるか否かが判断され、ＹＥＳであれば、ステップＳ３１において公衆電話回線Ｌにフッキング信号を送出し、ステップＳ３２において転送先テーブル７ａ内の転送先のファクシミリ番号を公衆電話回線Ｌに対して送出する。そして、ステップＳ３３において例えばいわゆるＴ１タイマーの３５秒以内である所定時間内にＤＩＳ信号を検出したか否かが判断され、ＹＥＳであるときは、ステップＳ３５でファクシミリ通信が上記転送先に直接に転送されて、ステップＳ３６で回線開放して元のメインルーチンに戻る。すなわち、ステップＳ３３で相手先がファクシミリ装置であるときことを確認して、上述の電話転送サービスを用いて転送先に転送される。一方、ステップＳ３３でＮＯであるときは、ステップＳ３４で、公衆電話回線Ｌにフッキング信号を送出することにより、上記電話転送サービスをキャンセルして元の状態に戻し、ステップＳ２６の処理に進む。
【００３０】
上述の実施形態に係る図６のステップＳ２６−Ｓ２９のファクシミリ転送モード処理では、画像メモリ８を用いて画像データを記憶するので、転送処理が複雑となり、その時間が長くなり、通信時間が長くなることにより通信料が増加するが、この変形例のように、例えばＴ１タイマーの時間内にファクシミリ転送ができれば、転送処理は、前者に比較して簡単であり、その転送処理時間を大幅に短縮することができ、通信時間を短くすることができ通信料を軽減できる。
【００３１】
＜別の変形例＞
以上の実施形態や変形例においては、ファクシミリ装置２０の例について述べているが、本発明はこれに限らず、公衆電話網又は公衆デジタル回線網などの公衆網に接続された、例えば電話機、データ通信装置などを含む通信端末装置に適用することができる。
【図面の簡単な説明】
【００３２】
【図１】本発明に係る実施形態である、転送モード処理機能を有するファクシミリ装置２０の構成を示すブロック図である。
【図２】本実施形態に係る転送モード処理を行うシステム構成を示すブロック図である。
【図３】図１の転送先テーブル７ａの一例を示す図である。
【図４】図１のファクシミリ装置の主制御部１によって実行される着信及び転送処理を示すフローチャートである。
【図５】図４のサブルーチンである電話転送モード処理（ステップＳ５）を示すフローチャートである。
【図６】図４のサブルーチンであるファクシミリ転送モード処理（ステップＳ６）を示すフローチャートである。
【図７】変形例のファクシミリ転送モード処理（ステップＳ６）を示すフローチャートである。
【符号の説明】
【００３３】
１…主制御部、
５…操作部、
６…ＲＯＭ、
７…ＲＡＭ、
７ａ…転送先テーブル、
８…画像メモリ、
１０…ファックスモデム、
１１…ＮＣＵ、
１２…ハンドセット、
１３…バス、
２０…ファクシミリ装置、
３０…公衆電話網、
３１…発信元ファクシミリ装置、
３２…転送先ファクシミリ装置、
４１…発信元電話機、
４２…転送先電話機、
Ｌ…公衆電話回線。
【図１】
0003702896.tif 000002
【図２】
0003702896.tif 000003
【図３】
0003702896.tif 000004
【図４】
0003702896.tif 000005
【図５】
0003702896.tif 000006
【図６】
0003702896.tif 000007
【図７】
0003702896.tif 000008